(57)【要約】【課題】波長掃引光源に対して設定可能な複数の波長掃引方法のいずれの波長掃引方法においても、被検眼に対して所定時間内に所定の光量以上の光が照射されることを回避する仕組みを提供する。【解決手段】波長掃引光源（種光源（２１０））による光の波長掃引方法として、１パターンＰＴの時間内に第１の波長λ１から第２の波長λ２までの第１の波長掃引を行う片側波長掃引方法、または、１パターンＰＴの時間内に上述した第１の波長掃引と第２の波長λ２から第１の波長λ１までの第２の波長掃引とを行う往復波長掃引方法を設定する。そして、往復波長掃引方法が設定された場合には、片側波長掃引方法が設定された場合に波長掃引光源（種光源（２１０））から出射される光の光量よりも小さい光量の光が波長掃引光源（種光源（２１０））から出射されるように、波長掃引光源（種光源（２１０））を制御する。【選択図】図４
2018192001.tif 000002
【特許請求の範囲】
【請求項１】
波長掃引光源から出射した光を被検眼に導いて、前記被検眼の撮影を行う眼科撮影装置であって、
前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定手段と、
前記設定手段で前記第２の波長掃引方法が設定された場合には、前記設定手段で前記第１の波長掃引方法が設定された場合に前記被検眼に照射される光の光量よりも小さい光量の光が前記被検眼に照射されるように、前記波長掃引光源から出射される光の光量を制御する制御手段と、
を有することを特徴とする眼科撮影装置。
【請求項２】
前記波長掃引光源と前記被検眼との間には、前記波長掃引光源から出射した光の光量を調整する光量調整光学系が設けられており、
前記制御手段は、前記設定手段で前記第２の波長掃引方法が設定された場合には、前記設定手段で前記第１の波長掃引方法が設定された場合に前記光量調整光学系から出射される光の光量よりも小さい光量の光が前記光量調整光学系から出射されるように、前記光量調整光学系を制御することを特徴とする請求項１に記載の眼科撮影装置。
【請求項３】
波長掃引光源から出射した光を、当該光の光量を調整する光量調整光学系を介して被検眼に導いて、前記被検眼の撮影を行う眼科撮影装置であって、
前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定手段と、
前記設定手段で前記第２の波長掃引方法が設定された場合には、前記設定手段で前記第１の波長掃引方法が設定された場合に前記光量調整光学系から出射される光の光量よりも小さい光量の光が前記光量調整光学系から出射されるように、前記光量調整光学系を制御する制御手段と、
を有することを特徴とする眼科撮影装置。
【請求項４】
前記制御手段は、更に、前記設定手段で前記第２の波長掃引方法が設定された場合には、前記設定手段で前記第１の波長掃引方法が設定された場合に前記波長掃引光源から出射される光の光量よりも小さい光量の光が前記波長掃引光源から出射されるように、前記波長掃引光源を制御することを特徴とする請求項３に記載の眼科撮影装置。
【請求項５】
前記波長掃引光源と前記被検眼との間には、前記波長掃引光源から出射した光を前記被検眼に対して走査する走査光学系が設けられており、
前記制御手段は、更に、前記設定手段で前記第２の波長掃引方法が設定された場合には、前記設定手段で前記第１の波長掃引方法が設定された場合の前記走査の走査速度よりも大きい走査速度の走査が行われるように、前記走査光学系を制御することを特徴とする請求項１乃至４のいずれか１項に記載の眼科撮影装置。
【請求項６】
前記設定手段は、複数の撮影モードの中から選択された撮影モードに応じて、前記第１の波長掃引方法および前記第２の波長掃引方法のうち、いずれか一方の波長掃引方法を設定することを特徴とする請求項１乃至５のいずれか１項に記載の眼科撮影装置。
【請求項７】
前記設定手段は、
前記撮影モードとして、前記波長掃引光源から出射した光を前記被検眼の所定部位に対して１次元的に走査する撮影モードが選択された場合には、前記第１の波長掃引方法を設定し、
前記撮影モードとして、前記波長掃引光源から出射した光を前記被検眼の所定部位に対して２次元的に走査する撮影モードが選択された場合には、前記第２の波長掃引方法を設定することを特徴とする請求項６に記載の眼科撮影装置。
【請求項８】
当該眼科撮影装置は、前記所定部位について前記被検眼の深さ方向における断層画像を取得するものであり、
前記１次元的に走査する撮影モードは、ラインスキャンを行って前記断層画像を取得する撮影、クロススキャンを行って前記断層画像を取得する撮影、ラジアルスキャンを行って前記断層画像を取得する撮影およびサークルスキャンを行って前記断層画像を取得する撮影のうちの少なくともいずれかの撮影を含む撮影モードであり、
前記２次元的に走査する撮影モードは、前記断層画像に係る３次元ボリューム撮影および前記断層画像に係るＯＣＴアンギオグラフィー撮影のうちの少なくともいずれかの撮影を含む撮影モードであることを特徴とする請求項７に記載の眼科撮影装置。
【請求項９】
前記設定手段は、入力された撮影範囲の大きさに応じて、前記第１の波長掃引方法および前記第２の波長掃引方法のうち、いずれか一方の波長掃引方法を設定することを特徴とする請求項１乃至５のいずれか１項に記載の眼科撮影装置。
【請求項１０】
前記設定手段は、
前記撮影範囲の大きさが閾値未満である場合には、前記第１の波長掃引方法を設定し、
前記撮影範囲の大きさが閾値以上である場合には、前記第２の波長掃引方法を設定することを特徴とする請求項９に記載の眼科撮影装置。
【請求項１１】
前記被検眼に導かれた前記光の戻り光に基づいて前記被検眼に係る画像を取得する取得手段と、
前記画像と関連付けて、当該画像を取得した際に前記設定手段で設定されていた波長掃引方法の情報を記憶する記憶手段と、
を更に有することを特徴とする請求項１乃至１０のいずれか１項に記載の眼科撮影装置。
【請求項１２】
前記制御手段は、前記設定手段で前記第１の波長掃引方法が設定された場合に、前記所定時間に対する前記第１の波長掃引を行う時間の比率が５０％よりも大きくなるように、前記波長掃引光源を制御することを特徴とする請求項１乃至１１のいずれか１項に記載の眼科撮影装置。
【請求項１３】
前記制御手段は、前記設定手段で前記第２の波長掃引方法が設定された場合に、前記第１の波長掃引を行う時間と前記第２の波長掃引を行う時間との比が１対１となるように、前記波長掃引光源を制御することを特徴とする請求項１乃至１２のいずれか１項に記載の眼科撮影装置。
【請求項１４】
波長掃引光源から出射した光を被検眼に導いて、前記被検眼の撮影を行う眼科撮影装置の制御方法であって、
前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定ステップと、
前記設定ステップで前記第２の波長掃引方法が設定された場合には、前記設定ステップで前記第１の波長掃引方法が設定された場合に前記被検眼に照射される光の光量よりも小さい光量の光が前記被検眼に照射されるように、前記波長掃引光源から出射される光の光量を制御する制御ステップと、
を有することを特徴とする眼科撮影装置の制御方法。
【請求項１５】
波長掃引光源から出射した光を、当該光の光量を調整する光量調整光学系を介して被検眼に導いて、前記被検眼の撮影を行う眼科撮影装置の制御方法であって、
前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定ステップと、
前記設定ステップで前記第２の波長掃引方法が設定された場合には、前記設定ステップで前記第１の波長掃引方法が設定された場合に前記光量調整光学系から出射される光の光量よりも小さい光量の光が前記光量調整光学系から出射されるように、前記光量調整光学系を制御する制御ステップと、
を有することを特徴とする眼科撮影装置の制御方法。
【請求項１６】
請求項１４または１５に記載の眼科撮影装置の制御方法における各ステップをコンピュータに実行させるためのプログラム。
【発明の詳細な説明】
【技術分野】
【０００１】
本発明は、被検眼の撮影を行う眼科撮影装置及びその制御方法、並びに、当該制御方法をコンピュータに実行させるためのプログラムに関するものである。
【背景技術】
【０００２】
眼（例えば網膜）を撮影する眼科撮影装置の一種である断層画像撮影装置（ＯＦＤＩ）は、網膜で反射した測定光の戻り光（サンプル光）を参照光と干渉させた干渉縞の周波数を解析することにより、断層画像を生成している。断層画像撮影装置には、ＳＬＤ光源のように同時に広い波長幅の光を発する光源を用いる方式と、広い波長幅で周期的に波長が変化する波長掃引光源（ＳＳ光源）を用いる方式がある。
【０００３】
上述した波長掃引光源を用いた従来の断層画像撮影装置としては、例えば、特許文献１に記載の技術がある。具体的に、例えば、この特許文献１には、波長掃引光源から出射する光について、所定時間内に第１の波長から第２の波長までの波長掃引を行う技術が記載されている（例えば、特許文献１の図３（Ａ）参照）。
【先行技術文献】
【特許文献】
【０００４】
【特許文献１】特表２０１５−５２３５７８号公報
【発明の概要】
【発明が解決しようとする課題】
【０００５】
波長掃引光源による光の波長掃引方法としては、特許文献１の図３（Ａ）に記載されているような、所定時間内に第１の波長から第２の波長までの波長掃引を行う波長掃引方法（以下、「片側波長掃引方法」と称する）以外に、所定時間内に当該波長掃引に加えて第２の波長から第１の波長までの波長掃引も行う波長掃引方法（以下、「往復波長掃引方法」と称する）が考えられる。
【０００６】
そして、例えば、波長掃引光源において上述した片側波長掃引方法と往復波長掃引方法とを必要に応じて選択可能とする眼科撮影装置を考えた場合、選択される波長掃引方法によっては被検眼に照射される所定時間あたりの光の光量が増えてしまう。その結果、被検眼に多大な負荷を与える事態が生じることも懸念される。
【０００７】
本発明は、このような問題点に鑑みてなされたものであり、波長掃引光源に対して設定可能な複数の波長掃引方法のいずれの波長掃引方法においても、被検眼に対して所定時間内に所定の光量以上の光が照射されることを回避する仕組みを提供することを目的とする。
【課題を解決するための手段】
【０００８】
本発明の眼科撮影装置は、波長掃引光源から出射した光を被検眼に導いて、前記被検眼の撮影を行う眼科撮影装置であって、前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定手段と、前記設定手段で前記第２の波長掃引方法が設定された場合には、前記設定手段で前記第１の波長掃引方法が設定された場合に前記被検眼に照射される光の光量よりも小さい光量の光が前記被検眼に照射されるように、前記波長掃引光源から出射される光の光量を制御する制御手段と、を有する。
本発明の眼科撮影装置における他の態様は、波長掃引光源から出射した光を、当該光の光量を調整する光量調整光学系を介して被検眼に導いて、前記被検眼の撮影を行う眼科撮影装置であって、前記波長掃引光源による前記光の波長掃引方法として、所定時間内に第１の波長から当該第１の波長とは異なる第２の波長までの第１の波長掃引を行う第１の波長掃引方法、および、所定時間内に前記第１の波長掃引と前記第２の波長から前記第１の波長までの第２の波長掃引とを行う第２の波長掃引方法のうち、いずれか一方の波長掃引方法を設定する設定手段と、前記設定手段で前記第２の波長掃引方法が設定された場合には、前記設定手段で前記第１の波長掃引方法が設定された場合に前記光量調整光学系から出射される光の光量よりも小さい光量の光が前記光量調整光学系から出射されるように、前記光量調整光学系を制御する制御手段と、を有する。
また、本発明は、上述した眼科撮影装置の制御方法、及び、当該制御方法をコンピュータに実行させるためのプログラムを含む。
【発明の効果】
【０００９】
本発明によれば、波長掃引光源に対して設定可能な複数の波長掃引方法のいずれの波長掃引方法においても、被検眼に対して所定時間内に所定の光量以上の光が照射されることを回避することができる。
【図面の簡単な説明】
【００１０】
【図１】本発明の実施形態に係る眼科撮影装置の概略構成の一例を示す図である。
【図２】図１に示すＯＣＴ光源（波長掃引光源の内部構成の一例を示す図である。
【図３】図２に示すＯＣＴ光源（波長掃引光源）による光の片側波長掃引方法の一例を示すタイミングチャートである。
【図４】図２に示すＯＣＴ光源（波長掃引光源）による光の往復波長掃引方法の一例を示すタイミングチャートである。
【図５】図２に示すＯＣＴ光源（波長掃引光源）による光の片側波長掃引方法の他の一例を示すタイミングチャートである。
【図６】本発明の実施形態に係る眼科撮影装置の制御方法における処理手順の一例を示すフローチャートである。
【発明を実施するための形態】
【００１１】
以下に、図面を参照しながら、本発明を実施するための形態（実施形態）について説明する。
【００１２】
［眼科撮影装置の概略構成］
図１は、本発明の実施形態に係る眼科撮影装置１００の概略構成の一例を示す図である。この眼科撮影装置１００は、例えば被検眼Ｅの網膜（眼底Ｅｆ）や前眼部等の画像を撮影する装置である。以下の説明では、被検眼Ｅの眼底Ｅｆを撮影する例について説明を行う。また、以下の説明では、眼科撮影装置１００として、フーリエドメイン方式の光干渉断層法を用いて被検眼Ｅの撮影を行う装置を適用した例について説明を行う。
【００１３】
ＯＣＴ光源１０１は、低コヒーレンス光を発生させるための光源である。本実施形態では、例えば、ＯＣＴ光源１０１として、中心波長が１０６０ｎｍ程度、掃引波長幅が１００ｎｍ程度の波長掃引光源（ＳＳ光源）である。ここで、波長掃引光源（ＳＳ光源）とは、一定の周期的なパターンでその発光波長が連続的に変化する光源であり、例えば１００ｎｍ程度の波長幅で１００ｋＨｚから３００ｋＨｚ程度の予め決まった周波数で発光波長が変化する。本実施形態においては、このＯＣＴ光源（波長掃引光源）１０１による光の波長掃引方法としては、上述した片側波長掃引方法と往復波長掃引方法とを必要に応じて選択することが可能になっている。
【００１４】
ＯＣＴ光源（波長掃引光源）１０１から出射された光は、ファイバー１０２を介して、光量調整光学系１９１に導かれる。光量調整光学系１９１は、コリメータレンズ１０３、透過率可変の濃度フィルタ（ＮＤフィルタ）１０４、コリメータレンズ１０５により構成される。透過率可変の濃度フィルタ１０４は、例えば円形の硝子板の周囲に透過率が連続的に変化する濃度フィルタが構成され、後述するＣＰＵ１４３の制御により、不図示の駆動手段を介して光が透過するフィルタ部位を切り替えられることにより、透過する光の光量を調整することができるようになっている。
【００１５】
光量調整光学系１９１から出た光は、ファイバー１０６を介して、光分岐部材１０７に導かれる。この光分岐部材１０７は、ＯＣＴ光源（波長掃引光源）１０１から出射された光を測定光と参照光とに分岐する分岐手段である。以下の説明では、眼科撮影装置１００から被検眼Ｅに照射された測定光が被検眼Ｅ（具体的には眼底Ｅｒ）で反射して再び眼科撮影装置１００に戻る戻り光をサンプル光として説明を行う。光分岐部材１０７としては、例えば、プリズムビームスプリッター、平板のビームスプリッター等を適用することが考えられるが、本実施形態ではファイバーカプラタイプのものを用いるものとする。また、光分岐部材１０７による分岐の比率は、ＯＣＴ光源（波長掃引光源）１０１の出力や被写体である被検眼Ｅへの射出光量等を勘案して適切なものを選択することができる。本実施形態では、光分岐部材１０７による分岐の比率は、サンプル光側（測定光側）を１０％とし、参照光側を９０％とする。
【００１６】
光分岐部材１０７からサンプル光側（測定光側）のファイバー１０８に分岐された光は、サンプル光学系１９２に導かれる。サンプル光学系１９２は、コリメータレンズ１０９、フォーカス調整ユニット１１０、光走査部材１１１、リレーレンズ１１２、分岐ミラー１１３、ミラー１１４、対物レンズ１１５により構成される。光走査部材１１１は、主走査及び副走査を組み合わせて光ビームを被検眼の網膜（眼底Ｅｆ）上に２次元的に走査する走査光学系であり、被検眼瞳位置に略共役に配置されている。この光走査部材１１１は、光軸方向に隣接して配置（タンデム配置）された互いに直交するＸ方向及びＹ方向に光を走査する一対のガルバノミラー等が適用される。このように、光分岐部材１０７を透過した光は、サンプル光学系１９２により被検眼Ｅの眼底Ｅｆに達する。
【００１７】
また、光分岐部材１０７から参照光側のファイバー１１６に分岐された光は、参照光学系１９３に導かれる。参照光学系１９３は、コリメータレンズ１１７、ミラー１１８、光量を調整するＮＤフィルタ１１９、波長により異なる透過率を有する透過率補正フィルタ１２０、光路長を調整するため可動ステージ１２１上に配置されたミラー１２２及び１２３、ミラー１２４、集光レンズ１２５により構成される。集光レンズ１２５の先には、ファイバー１２７が配置され、ファイバー１２７には、偏光調整部１７０が装着されている。この偏光調整部１７０は、参照光学系１９３の参照光の偏光状態を変更可能に調整することが可能に構成されており、サンプル光学系１９２のサンプル光との干渉の強さを制御できるようになっている。
【００１８】
被検眼Ｅで反射した測定光は、サンプル光としてサンプル光学系１９２を介してファイバー１０８に戻り、光分岐部材１０７により９０％の光は、ファイバー１２６に分岐されてファイバーカプラ１２８に入射する。
【００１９】
また、参照光学系１９３からの参照光は、ファイバー１２７を介して、ファイバーカプラ１２８に入射する。ファイバーカプラ１２８は、入射したサンプル光と参照光とを合波して干渉光を得る合波手段である。そして、干渉光は、ファイバーカプラ１２８により干渉位相の反転した５０：５０の光に分岐され、ファイバー１２９及び１３０より、それぞれ、差動検知器１３３の入力端１３１及び１３２に入力され、差動検知器１３３によって電気信号（干渉信号）に変換される。
【００２０】
制御部１４０は、各種の制御や各種の処理を行うものであり、Ａ／Ｄ変換部１４１、メモリ１４２、ＣＰＵ１４３を有して構成されている。
【００２１】
Ａ／Ｄ変換部１４１は、差動検知器１３３で得られたアナログの電気信号（干渉信号）をデジタルの電気信号（干渉信号）に変換する。
【００２２】
メモリ１４２は、制御部１４０が各種の制御や各種の処理を行う際に必要な各種の情報やデータ、プログラム等を記憶しているとともに、制御部１４０が各種の処理を行うことにより得られた各種の情報やデータを記憶する。例えば、メモリ１４２は、Ａ／Ｄ変換部１４１により得られたデジタルの電気信号（干渉信号）に係るデータが記憶される。
【００２３】
ＣＰＵ１４３は、各種の制御や各種の処理を行う。例えば、ＣＰＵ１４３は、メモリ１４２に記憶された電気信号（干渉信号）に係るデータを演算処理し、断層画像データ（ＯＣＴ画像データ）を構成し、表示部１５０の断層画像表示領域１５２に断層画像データに基づく断層画像を表示する制御を行う。なお、制御部１４０（より詳細には、ＣＰＵ１４３）は、この断層画像を撮影する際に、ＯＣＴ光源（波長掃引光源）１０１や、光量調整光学系１９１の透過率可変の濃度フィルタ１０４、光走査部材１１１等の制御も行う。
【００２４】
また、分岐ミラー１１３の反射光路上には、ＳＬＯユニット１９４が配置される。ＳＬＯユニット１９４は、ＳＬＯ光源１６０、コリメータレンズ１６１、投影光と戻り光とを分岐する穴あきミラー１６２、フォーカスレンズ１６３、光走査部材１６４、リレーレンズ１６５を有して構成されている。ＳＬＯ光源１６０は、例えば７８０ｎｍ程度の近赤外光を出射する光源である。光走査部材１６４は、共振ミラー及びガルバノミラーが近接して配置され、眼底Ｅｆを２次元走査可能な光走査部材である。また、穴あきミラー１６２の反射光路上には、集光レンズ１６６、共焦点絞り１６７、ＡＰＤ等の受光部１６８が構成される。そして、制御部１４０は、上述した断層画像の場合と同様にして、受光部１６８で得られた電気信号に係るＳＬＯ画像データ（例えば、眼底正面画像データ）を構成し、表示部１５０のＳＬＯ画像表示領域１５１にＳＬＯ画像データに基づくＳＬＯ画像を表示する制御を行う。
【００２５】
［撮影方法］
次に、図１に示す眼科撮影装置１００を用いて、被検眼Ｅの眼底Ｅｆの網膜の断層画像を撮影する方法を説明する。具体的に、以下に説明する例では、ラインスキャンを行って断層画像を取得する撮影を行う場合について説明する。
【００２６】
被検眼Ｅを眼科撮影装置１００の前に配置する。撮影者は、まず、ＳＬＯユニット１９４を用いて被検眼Ｅの眼底Ｅｆを観察し、適正なＷＤ（作動距離）の調整や撮影部位の確認、フォーカス調整を行う。即ち、撮影者が、表示部１５０上のスイッチ１５３を操作すると、ＣＰＵ１４３は、ＳＬＯ撮影モードを開始する。ＳＬＯ撮影モードが開始されると、ＣＰＵ１４３は、ＳＬＯ光源１６０を点灯させる。ＳＬＯ光源１６０から出射されたＳＬＯ光は、ＳＬＯユニット１９４を出て、分岐ミラー１１３により被検眼Ｅの方向に反射され、対物レンズ１１５より被検眼Ｅの眼底Ｅｆに入射する。分岐ミラー１１３は、ＳＬＯ光源１６０の波長である７８０ｎｍ付近は反射し、断層画像撮影に用いる１０００ｎｍ帯の光の大部分は透過する。そして、被検眼Ｅｆで反射されたＳＬＯ光は、逆の光路を辿り、再びＳＬＯユニット１９４に入射し、穴あきミラー１６２の周辺部で反射されて、共焦点絞り１６７を介して受光部１６８で受光され電気信号に変換される。この電気信号は、制御部１４０に送られる。制御部１４０では、Ａ／Ｄ変換部１４１によりデジタル信号に変換され、メモリ１４２に蓄えられるとともにＳＬＯ画像データに変換されて表示部１５０上のＳＬＯ画像表示領域１５１に表示される。
【００２７】
撮影者は、表示部１５０のＳＬＯ画像表示領域１５１に表示されたＳＬＯ画像を観察しながら、表示エリアの全部の領域で眼底画像が鮮明に見えるように、不図示の操作手段を用いて、対物レンズ１１５と被検眼Ｅとの作動距離、及び、偏心を調整する。さらに、撮影者は、画像のコントラストが鮮明に見えるようにフォーカス調整ボタン１５４を操作してピント調整を行う。フォーカス調整ボタン１５４からの信号は、ＳＬＯユニット１９４のフォーカスレンズ１６３を光軸方向に移動させるとともに、サンプル光学系１９２のフォーカス調整ユニット１１０のレンズも光軸方向に移動させる。これにより、ＳＬＯ光学系とＯＣＴ光学系とは、常に同じ視度に保たれている。
【００２８】
撮影者は、ＳＬＯ画像により対物レンズ１１５と被検眼Ｅとの作動距離（ワーキングディスタンス）、及び、フォーカスが適正であることを確認した後、ＯＣＴプレビュースイッチ１５５を操作して、ＯＣＴプレビューモードに遷移する。ＯＣＴプレビューモードに遷移すると、制御部１４０は、ＯＣＴ光源（波長掃引光源）１０１を点灯して出射する光の波長掃引を開始する。ここでは、ＣＰＵ１４３により、ＯＣＴ光源（波長掃引光源）１０１に対して設定された波長掃引方法（片側波長掃引方法または往復波長掃引方法）に応じて、ＯＣＴ光源（波長掃引光源）１０１から出射する光の光量が制御される。
【００２９】
ＯＣＴ光源（波長掃引光源）１０１から出射された光は、光量調整光学系１９１内に設けられている透過率可変の濃度フィルタ１０４により適正な光量に調整される。ここでは、ＣＰＵ１４３により、透過率可変の濃度フィルタ１０４に対して設定された波長掃引方法（片側波長掃引方法または往復波長掃引方法）に応じて、透過率可変の濃度フィルタ１０４から出射される光の光量が制御される。
【００３０】
そして、光量調整光学系１９１から出射した光は、光分岐部材１０７によって、９０％の光は参照光側に、また、１０％の光はサンプル光側に分岐する。サンプル光側に分岐した測定光は、サンプル光学系１９２に入射し、フォーカス調整が終了したフォーカス調整ユニット１１０、光走査部材１１１により走査され、被検眼Ｅの眼底Ｅｒに入射する。ここでは、ＣＰＵ１４３により、光走査部材１１１に対して設定された波長掃引方法（片側波長掃引方法または往復波長掃引方法）に応じて、光走査部材１１１による被検眼Ｅの眼底Ｅｒに対する光の走査条件（走査速度を含む）が制御される。そして、被検眼網膜の各層境界面で反射、散乱した光は、元の光路を逆に辿り、ファイバー１０８により光分岐部材１０７に入射する。
【００３１】
また、光分岐部材１０７により参照光側に分岐した参照光は、参照光学系１９３に入射し、参照光量調整用のＮＤフィルタ１１９により適正な光量に調整される。その後、参照光は、透過率補正フィルタ１２０により分光強度分布が補正されてファイバー１２７に集光され、干渉用の５０：５０のファイバーカプラ１２８に入射する。ファイバーカプラ１２８に入射した参照光と戻り光であるサンプル光とは干渉して干渉光となり、位相の反転した光に５０：５０の割合で分岐されて差動検知器１３３に入射し、差分である干渉成分が電気信号（干渉信号）に変換され、制御部１４０に入力される。
【００３２】
この電気信号（干渉信号）は、Ａ／Ｄ変換部１４１でデジタルデータに変換され、メモリ１４２に蓄えられた後、ＣＰＵ１４３によって波数変換やフーリエ変換等の処理が行われて断層画像が生成される。生成された断層画像は、表示部１５０の断層画像表示領域１５２に表示される。撮影者は、この断層画像を観察し、所望の撮影部位が撮像領域内に入るように、アライメント調整ボタン１５６を用いて参照光学系１９３の光路長調整を行う。アライメント調整ボタン１５６への入力を検知したＣＰＵ１４３は、可動ステージ１２１を制御してミラー１２２及び１２３を移動し、参照光学系１９３の光路長を調整する。以上の操作により、ＯＣＴ撮影が適正に行われていることを確認した撮影者は、撮影スイッチ１５７を操作する。撮影スイッチ１５７への入力を検知したＣＰＵ１４３は、５０枚〜１５０枚の予め決められた枚数の同一部位のラインスキャン（Ｂスキャン）データを取得してこれを記憶するとともに、それらを重ね合わせた断層画像を生成して記憶し且つ断層画像表示領域１５２に表示し、撮影を終える。
【００３３】
［ＯＣＴ光源（波長掃引光源）の内部構成］
図２は、図１に示すＯＣＴ光源（波長掃引光源）１０１の内部構成の一例を示す図である。図１に示すＯＣＴ光源（波長掃引光源）１０１は、図２に示すように、種光源２１０、レンズ２２０、グレーティング２３０、ミラー２４０、アクチュエータ２５０、レンズ２６０、及び、レンズ２７０を有して構成されている。
【００３４】
種光源２１０は、例えばＬＤ等の光源であり、そのフロント側２１１には半透膜が施され、また、そのリア側２１２には反射防止膜が施されている。種光源２１０のリア側２１２から出射した光は、レンズ２２０でコリメートされ、その後、グレーティング２３０により分光される。グレーティング２３０で分光された光の一部は、ミラー２４０で反射されて、種光源２１０のフロント側２１１との間で共振する。この際、ミラー２４０は、ＣＰＵ１４３の制御により、アクチュエータ２５０を介してその角度が変わるように振動している。共振した波長の光は、種光源２１０のフロント側２１１から出射されて、レンズ２６０でコリメートされた後、レンズ２７０を介して図１に示すファイバー１０２に導かれる。
【００３５】
［波長掃引方法の概略］
次に、ＯＣＴ光源（波長掃引光源）１０１による光の波長掃引方法の概略について説明する。
【００３６】
図３は、図２に示すＯＣＴ光源（波長掃引光源）１０１による光の片側波長掃引方法の一例を示すタイミングチャートである。図３において、横軸は時間を示している。また、図３の縦軸には、共振器の一構成であるミラー２４０の図２に示す角度Ｐ１と角度Ｐ２との間の往復振動を示している。また、図３の縦軸には、種光源２１０を点灯させるタイミングをＯＮで示し、種光源２１０を消灯させるタイミングをＯＦＦで示している。そして、上述したミラー２４０の往復振動に伴って共振する波長が変化するため、ミラー２４０が角度Ｐ１から角度Ｐ２まで変化すると、ＯＣＴ光源（波長掃引光源）１０１の発光波長は、図３に示すように、波長λ１から波長λ２まで変化する。また、図３の縦軸に示すトリガー信号は、図１の差動検知器１３３で差動検知した干渉信号をＡ／Ｄ変換部１４１でＡ／Ｄ変換するタイミングを示しており、具体的には等波数間隔でサンプリングを行う。即ち、図３に示す例では、ＯＣＴ光源（波長掃引光源）１０１の発光波長が波長λ１から波長λ２まで変化する間に取得されたデータが、１つのＡスキャンデータとなる。
【００３７】
この図３に示す片側波長掃引方法では、ミラー２４０が角度Ｐ１から角度Ｐ２まで変化する間のタイミングについては、種光源２１０を点灯している。その一方で、図３に示す片側波長掃引方法では、ミラー２４０が角度Ｐ２から角度Ｐ１まで変化する間のタイミングについては、種光源２１０を消灯している。したがって、このミラー２４０が角度Ｐ２から角度Ｐ１まで変化する間のタイミングでは、種光源２１０から光は発光されず、干渉信号も取得しない。
【００３８】
この図３に示す片側波長掃引方法は、所定時間内である１パターンＰＴの時間内に、発光波長が第１の波長λ１から当該第１の波長λ１とは異なる第２の波長λ２までの波長掃引（第１の波長掃引）を行う第１の波長掃引方法に相当する。
【００３９】
そして、図３に示す片側波長掃引方法では、１パターンＰＴを繰り返し行って、ミラー２４０が角度Ｐ１から角度Ｐ２まで変化するタイミングで種光源２１０を点灯し、それぞれの１パターンＰＴごとに、上述したＡスキャンデータを取得する。この際、光走査部材１１１の主走査により、Ａスキャンデータを取得する被検眼Ｅの眼底Ｅｆの部位が変化するため、Ｂスキャンデータを取得できる結果、被検眼Ｅの所定部位について被検眼Ｅの深さ方向における断層画像を取得することができる。
【００４０】
図４は、図２に示すＯＣＴ光源（波長掃引光源）１０１による光の往復波長掃引方法の一例を示すタイミングチャートである。図４の横軸は、図３と同様に、時間を示しており、また、図４の縦軸は、図３と同様に、ミラー２４０の角度（Ｐ１，Ｐ２）、種光源２１０の点灯（ＯＮ）／消灯（ＯＦＦ）、ＯＣＴ光源（波長掃引光源）１０１の発光波長（λ１，λ２）、トリガーを示している。
【００４１】
この図４に示す往復波長掃引方法では、ミラー２４０が角度Ｐ１から角度Ｐ２まで変化する間のタイミングに加えて、ミラー２４０が角度Ｐ２から角度Ｐ１まで変化する間のタイミングにおいても、種光源２１０を点灯している。これにより、ＯＣＴ光源（波長掃引光源）１０１の発光波長は、それぞれ、図４に示すように、波長λ１から波長λ２まで変化及び波長λ２から波長λ１まで変化する。また、図４に示すトリガー信号は、上述した両方のタイミングで発生しており、発光波長が波長λ１から波長λ２に掃引される間に１つのＡスキャンデータを取得し、次の波長λ２から波長λ１に掃引される間に次のＡスキャンデータを取得する。したがって、図４に示す往復波長掃引方法の場合には、図３に示す片側波長掃引方法の場合と比較して、所定時間（１パターンＰＴの時間）当たり２倍のＡスキャンデータを得ることができるため、同じＡスキャンデータのデータ量を半分の時間で取得可能となる。なお、Ａスキャンデータの取得は、等波数間隔で行われるため、発光波長が波長λ１から波長λ２に変化する場合のサンプルタイミングと発光波長が波長λ２から波長λ１まで変化する場合のサンプリングタイミングとは異なる。
【００４２】
この図４に示す往復波長掃引方法は、所定時間内である１パターンＰＴの時間内に、発光波長が第１の波長λ１から第２の波長λ２までの波長掃引（第１の波長掃引）と、発光波長が第２の波長λ２から第１の波長λ１までの波長掃引（第２の波長掃引）とを行う第２の波長掃引方法に相当する。
【００４３】
図５は、図２に示すＯＣＴ光源（波長掃引光源）１０１による光の片側波長掃引方法の他の一例を示すタイミングチャートである。この図５において、図３に示す構成と同様の構成については同じ符号を付している。具体的に、この図５に示す片側波長掃引方法は、ミラー２４０が角度Ｐ１から角度Ｐ２まで変化する間の往路側の速度と、ミラー２４０が角度Ｐ２から角度Ｐ１まで変化する間の復路側の速度とを可変させた場合を示している。即ち、上述したミラー２４０の往路側の速度を遅くし、上述したミラー２４０の復路側の速度を早くして、種光源２１０の消灯時間を短縮した場合を示している。具体的に、図５に示す片側波長掃引方法では、所定時間である１パターンＰＴの時間に対する上述した第１の波長掃引を行う時間の比率が５０％よりも大きくなるように、ＣＰＵ１４３がＯＣＴ光源（波長掃引光源）１０１を制御する例を示している。
【００４４】
このように、ＯＣＴ光源（波長掃引光源）１０１の点灯比率を制御することにより、単位時間当たりに取得できるＡスキャンデータを増やすことも可能である。
【００４５】
したがって、例えば、片側波長掃引方法では、図５に示すように、上述したミラー２４０の往路側の速度を遅くするとともにミラー２４０の復路側の速度を早くして、種光源２１０の点灯比率を高めることが好適である。また、例えば、往復波長掃引方法では、図４に示すように、上述したミラー２４０の往路側の速度と復路側の速度とを等しくして、種光源２１０における当該往路側の点灯時間と当該往路側の点灯時間との比が１対１となるように制御することが好適である。
【００４６】
［光量調整］
次に、ＯＣＴ光源（波長掃引光源）１０１による光の各波長掃引方法における光量調整について説明する。
【００４７】
図４に示す往復波長掃引方法の場合には、図３または図５に示す片側波長掃引方法の場合と比較して、所定時間である１パターンＰＴの時間に、被検眼Ｅに入射する光の光量が増えてしまう。この場合、被検眼に多大な負荷を与える事態が生じることも懸念される。また、この点を考慮して、人眼に安全に照射できる光量（具体的には光エネルギー）は、ＩＳＯやＩＥＣ等の規格で規定されており、この規格値以下にする必要がある。
【００４８】
そこで、本実施形態では、ＣＰＵ１４３は、往復波長掃引方法の場合には、片側波長掃引方法の場合に種光源２１０から出射される光の光量よりも小さい光量の光が種光源２１０から出射されるように、種光源２１０を制御する。具体的に、例えば、図４に示す往復波長掃引方法の場合には、図３に示す片側波長掃引方法の場合に対して、ＯＣＴ光源（波長掃引光源）１０１の種光源２１０から出射する光の光量を１／２に制御することが考えられる。これにより、片側波長掃引方法の場合よりも、被検眼Ｅに入射する光の光量が大きくなり得る往復波長掃引方法の場合においても、所定時間内に被検眼Ｅに対して所定時間内に所定の光量以上の光が照射されることを回避することが可能となる。
【００４９】
その一方で、種光源２１０から出射する光を変化させることは、ＯＣＴ光源（波長掃引光源）１０１の発光を不安定にする要因にもなり得る。そこで、本実施形態では、ＣＰＵ１４３は、上述した種光源２１０から出射する光の光量制御に換えて、或いは、上述した種光源２１０から出射する光の光量制御とともに、光量調整光学系１９１内の透過率可変の濃度フィルタ１０４の制御を行い得る。例えば、ＣＰＵ１４３は、往復波長掃引方法の場合には、片側波長掃引方法の場合に透過率可変の濃度フィルタ１０４から出射される光の光量よりも小さい光量の光が当該濃度フィルタ１０４から出射されるように、透過率可変の濃度フィルタ１０４を制御する。即ち、ＣＰＵ１４３は、往復波長掃引方法の場合には、片側波長掃引方法の場合よりも、透過率可変の濃度フィルタ１０４における透過率を小さくする処理を行う。この際、例えば、図４に示す往復波長掃引方法の場合には、図３に示す片側波長掃引方法の場合に対して、透過率可変の濃度フィルタ１０４から出射される光の光量を１／２に制御することが考えられる。これにより、片側波長掃引方法の場合よりも、被検眼Ｅに入射する所定時間あたりの光の光量が大きくなり得る往復波長掃引方法の場合においても、被検眼Ｅに対して所定時間内に所定の光量以上の光が照射されることを回避することが可能となる。また、例えば、図３に示す片側波長掃引方法の場合と図５に示す片側波長掃引方法の場合のように種光源２１０の点灯比率を変えた場合にも、所定時間内に被検眼Ｅに入射する光の光量が変わるので、所定時間内に被検眼Ｅに入射する光の光量が同じになるように透過率可変の濃度フィルタ１０４を制御することが好適である。
【００５０】
［波長掃引方法の設定例］
次に、ＯＣＴ光源（波長掃引光源）１０１による光の波長掃引方法として、片側波長掃引方法及び往復波長掃引方法の設定例について説明する。
【００５１】
上述したように、往復波長掃引方法では、片側波長掃引方法と比較して、所定時間内に２倍のＡスキャンデータが取得できる旨を説明した。そこで、本実施形態では、この点を考慮して、データ量の多い撮影モードか否かに応じて、往復波長掃引方法を設定するか否かを判定する形態をとり得る。
【００５２】
例えば、ＣＰＵ１４３は、指定された撮影モードが、ＯＣＴ光源（波長掃引光源）１０１から出射した光を被検眼Ｅの所定部位（例えば、眼底Ｅｆの網膜）に対して１次元的に走査する撮影モードの場合には、片側波長掃引方法を設定する。この際、撮影モードの指定は、撮影条件切替スイッチ１５８を操作することにより指定できるものとし、また、指定された撮影モードは、モード表示部１５９で確認することができるものとする。また、本実施形態において、１次元的に走査する撮影モードとしては、ラインスキャンを行って断層画像を取得する撮影、クロススキャンを行って断層画像を取得する撮影、ラジアルスキャンを行って断層画像を取得する撮影及びサークルスキャンを行って断層画像を取得する撮影のうちの少なくともいずれかの撮影を含む撮影モードとする。この際、例えば、ラインスキャンは水平方向や垂直方向のラインスキャンであり、ラジアルスキャンはアジマス角度を変えながら放射状に行うスキャンであり、サークルスキャンは円周上に行うスキャンである。
【００５３】
例えば、ＣＰＵ１４３は、指定された撮影モードが、ＯＣＴ光源（波長掃引光源）１０１から出射した光を被検眼Ｅの所定部位（例えば、眼底Ｅｆの網膜）に対して２次元的に走査する撮影モードの場合には、往復波長掃引方法を設定する。また、本実施形態において、２次元的に走査する撮影モードとしては、断層画像に係る３次元ボリューム撮影及び断層画像に係るＯＣＴアンギオグラフィー撮影（ＯＣＴＡ撮影）のうちの少なくともいずれかの撮影を含む撮影モードとする。この際、３次元ボリューム撮影は、被検眼Ｅの所定部位を主走査及び副走査を組み合わせて２次元的に走査するために数多くのデータを取得する必要があり、その取得に時間がかかる。そして、この３次元ボリューム撮影の場合に往復波長掃引方法を設定すれば、数多くのデータを短時間で取得することができるため、被検者の負担軽減につながるとともに、被検眼Ｅの固視不良による撮影の失敗も低減できる。また、ＯＣＴＡ撮影は、短時間に同じ部位の複数のデータを取得して脱相関により血流データを演算するため、決められた時間内に数多くのデータを取得する必要があり、その取得に時間がかかる。そして、このＯＣＴＡ撮影の場合に往復波長掃引方法を設定すれば、数多くのデータを短時間で取得することができるため、被検者の負担軽減につながるとともに、被検眼Ｅの固視不良による撮影の失敗も低減できる。
【００５４】
また、ここでは、入力された撮影モードに応じて、片側波長掃引方法及び往復波長掃引方法のうち、いずれか一方の波長掃引方法を設定する態様について説明したが、本実施形態ではこの態様に限定されるものではない。例えば、入力された撮影範囲の大きさに応じて、片側波長掃引方法及び往復波長掃引方法のうち、いずれか一方の波長掃引方法を設定する態様も、本実施形態に適用可能である。この際、撮影範囲の指定も、撮影条件切替スイッチ１５８を操作することにより、例えば所定のＧＵＩ（Ｇｒａｐｈｉｃａｌ  Ｕｓｅｒ  Ｉｎｔｅｒｆａｃｅ）等を表示させて選択等することで指定できるものとする。
【００５５】
この場合、例えば、ＣＰＵ１４３は、指定された撮影範囲の大きさが所定の閾値未満である場合には、片側波長掃引方法を設定する。また、例えば、ＣＰＵ１４３は、指定された撮影範囲の大きさが所定の閾値以上である場合には、往復波長掃引方法を設定する。このように設定する理由としては、撮影範囲の大きさが所定の閾値以上である広い場合には、短時間で数多くのデータを取得できる往復波長掃引方法が有効であり、撮影範囲の大きさが所定の閾値未満である狭い場合には、所定時間内で高感度な撮影が可能な片側波長掃引方法が有効であるためである。
【００５６】
さらに、ここでは、入力された撮影モードまたは発明範囲の撮影条件に応じて、片側波長掃引方法及び往復波長掃引方法のうち、いずれか一方の波長掃引方法を設定する態様について説明したが、本実施形態ではこの態様に限定されるものではない。この入力された撮影条件に応じて波長掃引方法を設定する態様では、眼科撮影装置１００の使い勝手は向上する。しかしながら、本実施形態においては、撮影者がＯＣＴ光源（波長掃引光源）１０１による光の波長掃引方法をＧＵＩ等を介して直接入力し、この入力に応じてＣＰＵ１４３が当該波長掃引方法を設定する態様も適用可能である。
【００５７】
［３次元ボリューム撮影］
次に、上述した３次元ボリューム撮影を行う場合について説明する。
【００５８】
３次元ボリューム撮影を行う場合には、撮影者は、撮影条件切替スイッチ１５８を操作する。上述したラインスキャンを行って断層画像を取得する撮影を行う場合と同様に、被検眼Ｅを眼科撮影装置１００の前に配置して位置合わせを行う、その後、撮影者は、サンプル光学系１９２のピント調整を確認した後、ＯＣＴプレビュースイッチ１５５を操作する。そして、このＯＣＴプレビュースイッチ１５５の操作を検知したＣＰＵ１４３は、ＯＣＴ光源（波長掃引光源）１０１の発光制御を行う。この際、本実施形態においては、ＣＰＵ１４３は、図４に示す往復波長掃引方法を設定してＯＣＴ光源（波長掃引光源）１０１の発光制御を行う。この際、ＣＰＵ１４３は、所定時間内に被検眼Ｅに入射する光の光量が片側波長掃引方法の場合と同じになるように、種光源２１０から出射する光の光量や透過率可変の濃度フィルタ１０４から出射される光の光量を制御する。
【００５９】
さらに、往復波長掃引方法を設定した場合、ＣＰＵ１４３は、光走査部材１１１の主走査方向に係る角速度を片側波長掃引方法が設定された場合よりも大きい角速度で駆動する制御を行う。なお、その駆動制御は、後述する光走査部材１１１の副走査方向に係る角速度についても行う。これにより、往復波長掃引方法が設定された場合には、片側波長掃引方法が設定された場合の被検眼Ｅに対する光の走査の走査速度よりも大きい走査速度の走査が行われることになる。この際、例えば、ＣＰＵ１４３は、光走査部材１１１の角速度を片側波長掃引方法が設定された場合よりも２倍の角速度で駆動する制御を行う。この場合、同一のサンプル数のＢスキャンデータを半分の時間で取得することができる。
【００６０】
そして、ＣＰＵ１４３は、このように取得した断層画像を断層画像表示領域１５２に表示する。その後、撮影者は、この断層画像表示領域１５２に表示された断層画像を確認して所望の部位が撮影できていると判断すると、撮影スイッチ１５７を操作する。これにより、光走査部材１１１の副走査方向についても駆動制御を行って被検眼Ｅの眼底Ｅｆを２次元的に走査し、眼底Ｅｆの３次元（３Ｄ）ボリューム画像データを取得する。
【００６１】
上述した１次元的に走査する撮影モードに比べて、この２次元的に走査する３次元ボリューム撮影では、その撮影に時間がかかり、被検眼Ｅの固視微動のために画像が歪み易く、場合によっては所望の部位の画像情報が得られないことも想定される。この点、本実施形態では、この２次元的に走査する３次元ボリューム撮影では、往復波長掃引方法を設定するとともに光走査部材１１１による走査速度を高速に設定しているため、数多くのデータを短時間で取得することができる。これにより、被検眼Ｅの固視微動の影響を低減することができる結果、所望の部位の画像情報が得られないことを回避することが可能となる。また、上述したＯＣＴＡ撮影の場合も、ここで説明した３次元ボリューム撮影の技術を同一の部位について決められた時間間隔で複数回走査することに適用すれば、撮影データの取得に関しては上述した３次元ボリューム撮影と基本的には同じとなる。
【００６２】
［眼科撮影装置の制御方法（作動方法）］
次に、図１に示す眼科撮影装置１００の制御方法における処理手順について説明する。
図６は、本発明の実施形態に係る眼科撮影装置１００の制御方法における処理手順の一例を示すフローチャートである。
【００６３】
まず、図６のフローチャートの処理を開始するのにあたり、撮影者により、ＯＣＴプレビューモードによるアライメントやフォーカス調整、光路長調整等の断層画像の撮影準備が完了しているものとする。その後、撮影者により撮影条件切替スイッチ１５８が操作されて断層画像に係る撮影条件が入力されると、ステップＳ６０１において、ＣＰＵ１４３はこれを検知する。
【００６４】
続いて、ステップＳ６０２において、ＣＰＵ１４３は、ステップＳ６０１で検知した撮影条件に基づいて、ＯＣＴ光源（波長掃引光源）１０１による光の波長掃引方法として、片側波長掃引方法を設定するか否かを判断する。
【００６５】
このステップＳ６０２において、ＣＰＵ１４３は、ステップＳ６０１で検知した撮影条件のうち、指定された撮影モードで波長掃引方法を設定する場合には、以下のようにして片側波長掃引方法を設定するか否かを判断する形態を採る。具体的に、ＣＰＵ１４３は、指定された撮影モードが、上述した１次元的に走査する撮影モードである場合には、片側波長掃引方法を設定すると判断する。一方、ＣＰＵ１４３は、指定された撮影モードが、上述した２次元的に走査する撮影モードである場合には、片側波長掃引方法を設定しない（即ち、往復波長掃引方法を設定する）と判断する。
【００６６】
また、このステップＳ６０２において、ＣＰＵ１４３は、ステップＳ６０１で検知した撮影条件のうち、指定された撮影範囲で波長掃引方法を設定する場合には、以下のようにして片側波長掃引方法を設定するか否かを判断する形態を採る。具体的に、ＣＰＵ１４３は、指定された撮影範囲の大きさが所定の閾値未満である場合には、片側波長掃引方法を設定すると判断する。一方、ＣＰＵ１４３は、指定された撮影範囲の大きさが所定の閾値以上である場合には、片側波長掃引方法を設定しない（即ち、往復波長掃引方法を設定する）と判断する。
【００６７】
そして、このステップＳ６０２の判断の結果、片側波長掃引方法を設定する場合には（Ｓ６０２／Ｙｅｓ）、ステップＳ６０３に進む。
ステップＳ６０３に進むと、ＣＰＵ１４３は、ＯＣＴ光源（波長掃引光源）１０１による光の波長掃引方法として、片側波長掃引方法を設定する処理を行う。
【００６８】
続いて、ステップＳ６０４において、ＣＰＵ１４３は、ＯＣＴ光源（波長掃引光源）１０１（より具体的には、種光源２１０）から出射する光の光量を、例えばメモリ１４２に記憶されている片側波長掃引方法に係る当該光量に設定する処理を行う。さらに、ＣＰＵ１４３は、光量調整光学系１９１から出射する光の光量（より具体的には、透過率可変の濃度フィルタ１０４で透過させる光の光量）を、例えばメモリ１４２に記憶されている片側波長掃引方法に係る当該光量に設定する処理を行う。
【００６９】
続いて、ステップＳ６０５において、ＣＰＵ１４３は、走査速度に係る光走査部材１１１の角速度を、例えばメモリ１４２に記憶されている片側波長掃引方法に係る当該角速度に設定する処理を行う。
【００７０】
続いて、ステップＳ６０６において、ＣＰＵ１４３は、ステップＳ６０３〜ステップＳ６０５の設定に基づく片側波長掃引方法で被検眼Ｅの所定部位（例えば、眼底Ｅｆの網膜）について被検眼Ｅの深さ方向における断層画像を撮影する制御を行う。
【００７１】
続いて、ステップＳ６０７において、ＣＰＵ１４３は、ステップＳ６０６の撮影制御により得られた干渉信号をＡ／Ｄ変換部１４１から取得する。
【００７２】
続いて、ステップＳ６０８において、ＣＰＵ１４３は、ステップＳ６０７で取得した干渉信号に基づいて、被検眼Ｅの所定部位（例えば、眼底Ｅｆの網膜）について被検眼Ｅの深さ方向における断層画像を生成して取得する。
【００７３】
一方、ステップＳ６０２の判断の結果、片側波長掃引方法を設定しない（即ち、往復波長掃引方法を設定する）場合には（Ｓ６０２／Ｎｏ）、ステップＳ６０９に進む。
ステップＳ６０９に進むと、ＣＰＵ１４３は、ＯＣＴ光源（波長掃引光源）１０１による光の波長掃引方法として、往復波長掃引方法を設定する処理を行う。
【００７４】
続いて、ステップＳ６１０において、ＣＰＵ１４３は、ＯＣＴ光源（波長掃引光源）１０１（より具体的には、種光源２１０）から出射する光の光量を、例えばメモリ１４２に記憶されている往復波長掃引方法に係る当該光量に設定する処理を行う。具体的に、本ステップでは、ＣＰＵ１４３は、ステップＳ６０４で片側波長掃引方法の場合に設定されるＯＣＴ光源（波長掃引光源）１０１から出射する光の光量よりも小さい光量を設定する処理を行う。さらに、ＣＰＵ１４３は、光量調整光学系１９１から出射する光の光量（より具体的には、透過率可変の濃度フィルタ１０４で透過させる光の光量）を、例えばメモリ１４２に記憶されている往復波長掃引方法に係る当該光量に設定する処理を行う。具体的に、本ステップでは、ＣＰＵ１４３は、ステップＳ６０４で片側波長掃引方法の場合に設定される光量調整光学系１９１から出射する光の光量よりも小さい光量を設定する処理を行う。即ち、ＣＰＵ１４３は、往復波長掃引方法の場合には、片側波長掃引方法の場合よりも、透過率可変の濃度フィルタ１０４における透過率を小さくする処理を行う。なお、ここでの説明では、ステップＳ６１０において、ＯＣＴ光源（波長掃引光源）１０１から出射する光の光量及び光量調整光学系１９１から出射する光の光量の両方を制御する態様を説明したが、本実施形態においてはこの態様に限定されるものではなく、例えば、これらの光量のうちの一方のみを制御する態様も、本実施形態に適用可能である。
【００７５】
続いて、ステップＳ６１１において、ＣＰＵ１４３は、走査速度に係る光走査部材１１１の角速度を、例えばメモリ１４２に記憶されている往復波長掃引方法に係る当該角速度に設定する処理を行う。具体的に、本ステップでは、ＣＰＵ１４３は、ステップＳ６０５片側波長掃引方法の場合に設定される光走査部材１１１の角速度よりも大きい角速度を設定する処理を行う。
【００７６】
続いて、ステップＳ６１２において、ＣＰＵ１４３は、ステップＳ６０９〜ステップＳ６１１の設定に基づく往復波長掃引方法で被検眼Ｅの所定部位（例えば、眼底Ｅｆの網膜）について被検眼Ｅの深さ方向における断層画像を撮影する制御を行う。
【００７７】
続いて、ステップＳ６１３において、ＣＰＵ１４３は、ステップＳ６１２の撮影制御により得られた干渉信号をＡ／Ｄ変換部１４１から取得する。
【００７８】
続いて、ステップＳ６１４において、ＣＰＵ１４３は、ステップＳ６１３で取得した干渉信号に基づいて、被検眼Ｅの所定部位（例えば、眼底Ｅｆの網膜）について被検眼Ｅの深さ方向における断層画像を生成して取得する。この際、ＣＰＵ１４３は、ステップＳ６１３で得られた往復波長掃引方法の干渉信号が往路と復路とで波長変化の方向が異なるため、この点を考慮して、データの順序を波長変化方向に合わせて（例えば、復路のデータの順序を入れ替えて）断層画像を生成する。
【００７９】
ステップＳ６０８の処理が終了した場合、或いは、ステップＳ６１４の処理が終了した場合には、ステップＳ６１５に進む。
ステップＳ６１５に進むと、ＣＰＵ１４３は、ステップＳ６０８またはステップＳ６１４で取得した断層画像をメモリ１４２に記憶する処理を行う。
【００８０】
続いて、ステップＳ６１６において、ＣＰＵ１４３は、ステップＳ６１５で記憶した断層画像に関連付けて、波長掃引方法の情報（片側波長掃引方法か往復波長掃引方法かを識別する情報）を記憶する処理を行う。ここで、例えば、ＣＰＵ１４３は、波長掃引方法の情報として、片側波長掃引方法の場合には０１の情報を画像のヘッダー情報として記憶し、往復波長掃引方法の場合には０２の情報を画像のヘッダー情報として記憶する。これにより、例えば、後工程のステップＳ６１７で断層画像を表示する際に、当該断層画像の周囲または周辺部に波長掃引方法を明示することができる。また、これにより、同一被検者の被検眼Ｅを時間おいて撮影した断層画像を比較して変化が確認された場合に、その変化が被検眼Ｅに何らかの変化が生じたのか或いは撮影条件が変化したのかを把握する際に役立たせることができる。
【００８１】
続いて、ステップＳ６１７において、ＣＰＵ１４３は、ステップＳ６１５で記憶した断層画像を、表示部１５０の断層画像表示領域１５２に表示する制御を行う。
【００８２】
そして、ステップＳ６１７の処理が終了すると、図６のフローチャートの処理を終了する。
【００８３】
以上説明したように、本実施形態に係る眼科撮影装置１００では、ＣＰＵ１４３は、ＯＣＴ光源（波長掃引光源）１０１による光の波長掃引方法として、所定時間内（例えば、図３または図５の１パターンＰＴの時間内）に第１の波長λ１から第２の波長λ２までの第１の波長掃引を行う片側波長掃引方法（第１の波長掃引方法）、及び、所定時間内（例えば、図４の１パターンＰＴの時間内）に第１の波長λ１から第２の波長λ２までの第１の波長掃引と第２の波長λ２から第１の波長λ１までの第２の波長掃引とを行う往復波長掃引方法（第２の波長掃引方法）のうち、いずれか一方の波長掃引方法を設定するようにしている（例えば、図６のＳ６０３，Ｓ６０９）。この波長掃引方法の設定を行うＣＰＵ１４３は、本発明の設定手段に相当する構成の一例である。
そして、ＣＰＵ１４３は、往復波長掃引方法を設定した場合には、片側波長掃引方法を設定した場合にＯＣＴ光源（波長掃引光源）１０１から出射される光の光量よりも小さい光量の光をＯＣＴ光源（波長掃引光源）１０１から出射すべく、ＯＣＴ光源（波長掃引光源）１０１を制御するようにしている。さらに、ＣＰＵ１４３は、往復波長掃引方法を設定した場合には、片側波長掃引方法を設定した場合に光量調整光学系１９１から出射される光の光量よりも小さい光量の光を光量調整光学系１９１から出射すべく、光量調整光学系１９１を制御するようにしている。この光量制御は、例えば、図６のステップＳ６１０の処理に該当し、この光量制御を行うＣＰＵ１４３は、本発明の制御手段に相当する構成の一例である。
かかる構成によれば、片側波長掃引方法の場合よりも、所定時間内に被検眼Ｅに入射する光の光量が大きくなり得る往復波長掃引方法の場合においても、被検眼Ｅに対して所定時間内に所定の光量以上の光が照射されることを回避することが可能となる。
【００８４】
（その他の実施形態）
上述した本発明の実施形態では、図３及び図５に示す片側波長掃引方法の場合に、波長λ１から波長λ２までの波長掃引を行う例を示したが、本発明においてはこの形態に限定されるものではない。例えば、片側波長掃引方法として、図３及び図５に示す波長λ２から波長λ１までの波長掃引を行う形態も、本発明に適用可能である。そして、この形態を採用する場合、波長λ２を本発明における第１の波長として適用し、波長λ１を本発明における第２の波長として適用する形態となる。
【００８５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８６】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８７】
１００：眼科撮影装置、１０１：ＯＣＴ光源（波長掃引光源）、１０４：透過率可変の濃度フィルタ、１１１：光走査部材、１４０：制御部、１４１：Ａ／Ｄ変換部、１４２：メモリ、１４３：ＣＰＵ、１９１：光量調整光学系、１９２：サンプル光学系、１９３：参照光学系、Ｅ：被検眼、Ｅｆ：眼底
【図１】
2018192001.tif 000003
【図２】
2018192001.tif 000004
【図３】
2018192001.tif 000005
【図４】
2018192001.tif 000006
【図５】
2018192001.tif 000007
【図６】
2018192001.tif 000008